(57)【要約】      （修正有）【課題】スチール製品に磁力で貼り付けてメモ帳として活用する際に、その表示部に印刷される文字や図案を３次元的に見せて目立たせる３Ｄマグネットブロックめも帳を提供する。【解決手段】３Ｄマグネットブロックめも帳Ａを、メモ用紙の紙片２０の束２と、台紙１と、一方の面に文字や図案を印刷可能な表示部３１が形成され、この表示部３１にレンチキュラーレンズ３２が配設されているシート状のマグネットシート３とから、台紙１の他方の面とマグネットシート３の表示部３１が形成されていない他方の面とを対面させた上で、この順に、その一端部の接着面Ａ１で互いに剥離可能に接着して構成する。【選択図】図４
0003192679.tif 000002
【実用新案登録請求の範囲】
【請求項１】
台紙と、
この台紙の一方の面側に設けられるメモ用紙の紙片の束と、
前記台紙の他方の面側に設けられ、磁性材を含有する合成樹脂製で、一方の面に文字や図案を印刷可能な表示部が形成されているシート状のマグネットシートと、
を備え、
前記台紙の他方の面と前記マグネットシートの前記表示部が形成されていない他方の面とを対面させた上で、前記紙片の束を構成する各紙片の一端部、前記台紙の一端部及び、前記マグネットシートの一端部を、この順に互いに剥離可能に接着して構成されている、
ことを特徴とする３Ｄマグネットブロックめも帳。
【請求項２】
前記表示部にレンチキュラーレンズが設けられている、
ことを特徴とする請求項１に記載の３Ｄマグネットブロックめも帳。
【考案の詳細な説明】
【技術分野】
【０００１】
本考案は、例えば、冷蔵庫等のスチール製品に磁力で貼り付けてメモ帳として活用することができ、さらに、メモ帳を構成するマグネットに設けた表示部に印刷される文字や図案を３次元的に見せることができる３Ｄマグネットブロックめも帳に関する。
【背景技術】
【０００２】
下記特許文献１〜３で提案される発明や考案のように、例えば、冷蔵庫等のスチール製品に磁力を利用して貼り付けることができ、その場でメモ帳として活用することができる製品がいくつか公知である。例えば、メモ用紙の紙片の束を設ける台紙の裏面にマグネットを配設して構成するタックメモに係る発明（特許文献１）、マグネットを備えた容器にメモ用紙の紙片の束を挿入して構成するメモ帳入れに係る考案（特許文献２）、マグネットやメモ用紙の紙片に広告部を形成して構成するマグネットシート付粘着メモに係る考案（特許文献３）等が提案されている。
【先行技術文献】
【特許文献】
【０００３】
【特許文献１】特開２００１−３１５４６６号公報
【特許文献２】登録実用新案第３１７４５３８号公報
【特許文献３】登録実用新案第３０４３７５５号公報
【考案の概要】
【考案が解決しようとする課題】
【０００４】
しかしながら、従来のマグネットシート付メモ帳は、冷蔵庫等のスチール製品に磁力を利用して貼り付けたときに、文字や図案が印刷されている表示面（表示部、広告面）が、その大きさ等も限られるといった理由から、目立たないことが多かった。さらに、マグネットシートの部分を、メモ用紙を使い切った後に廃棄してしまって、引き続き利用するといった使い方が難しかった。一方で、マグネットシートの硬さとその形状を生かし、製品の運搬等でメモ用紙部分をつぶさないようにするため、マグネットシートで台紙の機能を強化するといった利用の仕方も考え得る。
【０００５】
この考案は、上記実情に鑑み提案され、冷蔵庫等のスチール製品に磁力で貼り付けてメモ帳として活用する際に、３次元的に見せることで、表示部に表示した文字や図案を目立たせることができるとともに、マグネットシートだけを引き続き利用することができ、マグネットシートで台紙の機能を強化することも可能な３Ｄマグネットブロックめも帳を提供することを目的とする。
【課題を解決するための手段】
【０００６】
上記目的を達成するため、本考案に係る３Ｄマグネットブロックめも帳は、台紙と、この台紙の一方の面側に設けられるメモ用紙の紙片の束と、前記台紙の他方の面側に設けられ、磁性材を含有する合成樹脂製で、一方の面に文字や図案を印刷可能な表示部が形成されているシート状のマグネットシートと、を備え、前記台紙の他方の面と前記マグネットシートの前記表示部が形成されていない他方の面とを対面させた上で、前記紙片の束を構成する各紙片の一端部、前記台紙の一端部及び、前記マグネットシートの一端部をこの順に互いに剥離可能に接着して構成されていることを特徴とする。
【０００７】
さらに、上記構成に加え、前記表示部にレンチキュラーレンズが設けられていることを特徴とする。
【考案の効果】
【０００８】
本考案は、台紙と、メモ用紙の紙片の束と、磁性材を含有する合成樹脂製でシート状のマグネットシートとを備えて構成されるので、従来のものに比べ新しく特殊な材料を使うこと無く、新たな構成のマグネットシート付メモ帳を提供することができる。すなわち、本考案では、台紙とマグネットシートの表示部が形成されていない他方の面とを対面させた上で、紙片の束を構成する各紙片の一端部、台紙の一端部及びマグネットシートの一端部を、この順に互いに剥離可能に接着して構成され、新規な３Ｄマグネットブロックめも帳として提供することができる。
【０００９】
特に、各要素が互いに剥離可能に接着されているので、マグネットシートの部分をメモ用紙を使い切った後にも台紙から剥がして引き続き利用することができる。台紙、マグネットシートの順で接着されているので、マグネットシートで台紙の機能を強化することができ、製品の運搬等でメモ用紙の紙片の束の部分をつぶさないようにすることができる。
【００１０】
さらに、本考案に係る３Ｄマグネットブロックめも帳では、表示部にレンチキュラーレンズが設けられて構成されるため、表示部に描かれた文字や図案を三次元的に見せることができる。そうすると、文字や図案が印刷されている表示面（表示部、広告面）を、その大きさ等が限られるにもかかわらず、十分に目立たせることができる。なお、本考案に係る３Ｄマグネットブロックめも帳は、冷蔵庫等のスチール製品に磁力で貼り付ける以外にも、磁力を利用することのできる様々な場面に適用可能であることを付言する。
【図面の簡単な説明】
【００１１】
【図１】本実施形態に係る３Ｄマグネットブロックめも帳について、一の方向（メモ用紙の紙片の束側）から観察して描いた第一斜視図である。
【図２】本実施形態に係る３Ｄマグネットブロックめも帳について、他の方向（マグネットシート側）から観察して描いた第二斜視図である。
【図３】本実施形態に係る３Ｄマグネットブロックめも帳について、これを構成するマグネットシートを展開した状態を、一部を断面にして描いた一部断面図である。
【図４】スチール製品に磁力で貼り付けるといった使用状態を示す説明図である。
【考案を実施するための形態】
【００１２】
以下、本考案に係る実施形態を、図面を参照しつつ説明する。なお、下記実施形態は本考案を具現化した例示に過ぎない。そして、本考案は実用新案登録請求の範囲に記載された事項を逸脱することがなければ、種々の設計変更が可能である。
【００１３】
本考案に係る３Ｄマグネットブロックめも帳Ａは、図１、図２に示すように、メモ用紙の紙片２０の束２、台紙１、シート状のマグネットシート３が、この順に、その一端部で接着剤により互いに剥離可能に接着されて構成されている。具体的には、図３に示すように、台紙１の一方の面である上面１１側にメモ用紙の紙片２０の束２が設けられている。台紙１の他方の面である下面１２側にマグネットシート３が設けられて構成されている（図１、図２も併せて参照のこと）。そして、３Ｄマグネットブロックめも帳Ａは、全体として六面体の形状を有している。
【００１４】
台紙１は、ボール紙、ミルクカートン紙等のいわゆる厚紙で構成されている。その形状は本実施形態において正方形である。
【００１５】
メモ用紙の紙片２０の束２は、メモを記す紙片である正方形の紙片２０を多数枚、例えば、５０〜２００枚程度重ね、その各紙片２０の一端部２０ａで接着剤により互いに剥離可能に接着した束２として構成される。図１において紙片２０は無地であるが、紙片２０はメモ用紙としての機能が確保される限り、文字が記されていたり、模様や図案、イラスト等が描かれていても構わない。
【００１６】
マグネットシート３は、ポリプロピレン、ポリアミド、ポリフェニレンスルファイド等の合成樹脂に、ソフトフェライト又はハードフェライト等の磁性材料（粒子）を分散状態で含ませ、シート状に成形されて構成される。その形状は本実施形態において正方形である。
【００１７】
マグネットシート３の一方の面には、文字や図案を印刷可能な表示部３１が形成されている。さらに、この表示部３１には、レンチキュラーレンズ３２が配設されている。本実施形態では、レンチキュラーレンズ３２が配設されることにより、表示部３１に印刷された文字や図案を立体感のあるものとして見せる、すなわち３次元（３Ｄ）効果のある文字や図案として見せることを可能としている。
【００１８】
なお、図２では、表示部３１にバラの花がやや立体感を有するようにして描かれているが、表示部３１に記す文字、描く模様や図案はもちろん、任意である。表示部３１に記す文字、描く模様や図案の好適な例としては、レンチキュラーレンズ３２により立体感が際立つ対象であることが、目立たせるという観点から好ましいといえる。
【００１９】
また、マグネットシート３の一方の面に配設するレンチキュラーレンズ３２の種類によっては、３Ｄ効果のほかに、表示部に印刷された文字や図案を見る角度によって変えたりする効果、アニメーション効果等を与えることができる。
【００２０】
３Ｄマグネットブロックめも帳Ａは、各紙片２０がその一端部２０ａで相互に剥離可能に接着された束２の一端部２ａ、台紙１の一端部１ａ及び、マグネットシート３の一端部３ａが、この順に接着剤により互いに剥離可能に接着されて接着面Ａ１が形成されている。この接着面Ａ１により、例えば、図３に示すように、マグネットシート３を展開させても、台紙１から容易に剥がれることがないようにすることができる。
【００２１】
なお、本考案では、台紙１の他方の面（図３において下面１２）とマグネットシート３の表示部３１が形成されていない他方の面とを対面させた上で、接着面Ａ１を形成する必要がある。図４に示すように、マグネットシート３を展開し、メモ用紙の紙片２０を使用する際に、表示部３１を使用者の目に留まらせるためである。また、メモ用紙の紙片２０の束２、台紙１、マグネットシート３の順で接着されているので、マグネットシート３で台紙１の機能を強化することができ、製品の運搬等でメモ用紙の紙片２０の束２をつぶさないようにすることができる。
【００２２】
以下、本考案に係る３Ｄマグネットブロックめも帳Ａの作用について、図４に示した使用例を参照しながら説明していく。
【００２３】
本考案に係る３Ｄマグネットブロックめも帳Ａは、図１及び図２に示すような形態で、メモ帳として使用することができる。しかしながら、マグネットシート３の磁力を利用する場合には、図４に示すように、マグネットシート３を展開し、その磁力で他方の面を、例えば、冷蔵庫等のスチール製品に貼り付けることにより、その貼り付けた場所でメモ帳として活用することができる。
【００２４】
このとき、３Ｄマグネットブロックめも帳Ａは、その接着面Ａ１において、各紙片２０の一端部２０ａ（束２の一端部２ａ）、台紙１の一端部１ａ及びマグネットシート３の一端部３ａが互いに剥離可能に接着されているので、マグネットシート３を展開させても、マグネットシート３が台紙１から容易に剥がれることがない。また、接着面Ａ１によって台紙１と紙片２０の束２及び、これらと各紙片２０とが容易に剥がれることもない。
【００２５】
ただし、紙片２０の束２と台紙１とを、または、台紙１とマグネットシート３とを手で持って引き剥がすこと等により、紙片２０の束２、台紙１、マグネットシート３の各部材に分解することができる。また、紙片２０の束２を各紙片２０に分解することもできる。したがって、マグネットシート３をメモ用紙を紙片２０を使い切った後にも台紙１から剥がして引き続き利用することができる。
【００２６】
そして、図４に示すように、３Ｄマグネットブロックめも帳Ａを、マグネットシート３を展開させた上でメモ帳として活用した場合、メモを記す側にマグネットシート３の表示部３１がメモを記す者の目に留まる側に現れることになる。特に、マグネットシート３の表示部３１にはレンチキュラーレンズ３２が配設され、表示部３１に描かれた文字や模様、図案（図４においてバラの花）が目立つように工夫されている。
【００２７】
したがって、本考案に係る３Ｄマグネットブロックめも帳Ａは、文字や図案が印刷されている表示部３１を、その大きさ等が限られるにもかかわらず、十分に目立たせることができる。この表示部３１には、広告のほか各種の用途で文字や図案を印刷すればよい。
【００２８】
なお、上述したように、メモ用紙の紙片２０に文字や図案を付してもよいし、台紙１にに文字や図案を付することも可能である。これにより、本考案に係る３Ｄマグネットブロックめも帳Ａのメモ帳全体としての統一感やデザイン性、ファッション性を向上させることができる。
【００２９】
以上、本考案の実施形態の一つを例示して詳述したが、本考案は上記実施形態に限定されるものではない。そして本考案は、実用新案登録請求の範囲に記載された事項を逸脱することがなければ、種々の設計変更を行うことが可能である。
【００３０】
例えば、上記実施形態では、メモ用紙の紙片、台紙、マグネットシートの各部材が正方形であるもので構成した例を説明したが、必ずしも正方形である必要は無い。本考案に係る３Ｄマグネットブロックめも帳Ａは、長方形で各部材を形成したもの、円形で各部材を形成したもの、楕円形で各部材を形成したもの、瓢箪型で各部材を形成したもの、多角形で各部材を形成したもの等、各種の形状を採用して構成することができる。このとき、その各種の形状の周縁の一部を、その一端部で相互に剥離可能に接着することで、本考案を構成することができる。これにより、本考案に係る３Ｄマグネットブロックめも帳Ａのデザイン性、ファッション性等を更に向上させることができる。
【符号の説明】
【００３１】
Ａ・・・３Ｄマグネットブロックめも帳（本考案）
Ａ１・・接着面
１・・・台紙
１ａ・・一端部
２・・・束
２ａ・・一端部
２０・・紙片
２０ａ・一端部
３・・・マグネットシート
３ａ・・一端部
３１・・表示部
３２・・レンチキュラーレンズ
【図１】
0003192679.tif 000003
【図２】
0003192679.tif 000004
【図３】
0003192679.tif 000005
【図４】
0003192679.tif 000006